(57)【特許請求の範囲】
【請求項１】
送風機を有する送風部と、フィルターを内蔵して前記送風部に連結されるフィルター部とを含み、着用者の首筋に配置される防護服用の送風装置であって、
前記防護服内において前記着用者の首の周囲に延在して前記送風装置を前記着用者の首に係止するための係止具を備え、前記係止具は、環の一部が開放された開放部を有する環状の弾性部材からなり、
前記送風機が、着用者の首筋から離間して配置される送風口から着用者の首筋に向けて送風し、前記送風口と着用者の首筋との間に介在して、前記送風口からの空気流の少なくとも一部の流動方向を一方向に偏向させる偏流手段を有することを特徴とする送風装置。
【請求項２】
前記送風装置がさらに前記送風機の電源を収容する電源収容室を有するとともに、前記係止具が前記送風部に対向する対向領域を有し、前記電源収容室が前記送風口と前記対向領域との間に介在して、前記送風口と前記対向領域との間に位置する前記電源収容室の外壁面が前記送風口からの空気流の少なくとも一部の流動方向を一方向に偏向させる、請求項１に記載の送風装置。
【請求項３】
前記係止具が、前記送風部に対向する対向領域を有するとともに、前記対向領域から前記送風部に向けて延び出して前記送風口との間に介在する延出部を備え、前記延出部が前記送風口からの空気流の少なくとも一部の流動方向を一方向に偏向させる、請求項１に記載の送風装置。
【請求項４】
記係止具がさらに、着用者の首と向き合う面に吸湿性の軟質シート部材を有する、請求項１から３のいずれか１項に記載の送風装置。
【請求項５】
前記軟質シート部材が、前記係止具の外側へ延び出して前記送風部からの空気流内に位置する延長部を有する、請求項４に記載の送風装置。
【請求項６】
請求項１から５のいずれか１項に記載の送風装置が着用者の首筋に対応する位置に配置された防護服。
【発明の詳細な説明】
【技術分野】
【０００１】
本発明は、送風装置及び送風装置を備える防護服に関し、特に着用者の首筋に配置される送風装置と、この送風装置が着用者の首筋に対応する位置に配置された防護服に関する。
【背景技術】
【０００２】
従来、作業環境に応じて防護服内を加圧または負圧状態に保つための送風装置が知られている。例えば、アスベストや放射性物質等で汚染された環境下で使用される防護服の場合、作業者の動作により防護服内が負圧になって袖口や襟元から汚染物質が防護服内に侵入することを防止するために、フィルターを備える送風装置を用いて防護服内を加圧状態に保つことが行われている。あるいは、クリーンルーム内で使用される防護服の場合、人体から発生するガスや塵埃によるクリーンルームの汚染を抑制するために、フィルター付の送風装置を用いて防護服内を負圧状態に保つことが行われている。【０００３】
このような送風装置として、例えば特許文献１には、防護服につなげられ空気濾過装置及び空気ポンプを備えた送気装置と、電源とが設けられた防護服が開示されている。この防護服は、防護服の腰部外側に取り付けた送気装置から、エアホースを介して防護服の頭部内に通風するよう構成されている。
【先行技術文献】
【特許文献】
【０００４】
【特許文献１】特開２００５−２５４５号公報
【発明の概要】
【発明が解決しようとする課題】
【０００５】
特許文献１に開示された防護服は、防護服の外部にエアホースが露出しているため、作業場にある突起物にエアホースが引っかかり、作業の障害になることがある。【０００６】
本発明は、防護服に送風装置を接続するためのエアホースが不要で、作業場にある突起物にエアホースが引っかかることが無く、作業性の良い送風装置と、この送風装置を備える防護服を提供することを目的とする。
【課題を解決するための手段】
【０００７】
本発明の送風装置は、送風機を有する送風部と、フィルターを内蔵して送風部に連結されるフィルター部とを含む防護服用の送風装置であって、防護服の着用者の首筋に配置されることを特徴とする送風装置であり、本発明の防護服は着用者の首筋に対応する位置にこの送風装置を備える。
【発明の効果】
【０００８】
本発明の送風装置は、防護服の着用者の首筋に直接配置する構成としたので、送風装置を防護服に接続するためのエアホースが不要になり、作業場にある突起物にエアホースが引っかかることが無いため、作業性の良い送風装置と、この送風装置を備える防護服が提供される。
【図面の簡単な説明】
【０００９】
図面は、本発明の特定の実施の形態を示し、発明の不可欠な構成ばかりでなく、選択的及び好ましい実施の形態を含む。
【図１】本発明に係る送風装置の外観斜視図。
【図２】第１実施形態に係る送風装置の分解斜視図。
【図３】第１実施形態に係る送風装置と防護服の使用時の状態を表す模式図。
【図４】第２実施形態に係る送風装置の分解斜視図。
【発明を実施するための形態】
【００１０】
＜第１実施形態＞
図１に示すように、送風装置１は、筐体８に内蔵された送風機３及び電源３０を含む送風部２と、フィルター５（図３参照）を内蔵するとともに送風部２に連結されるフィルター部４と、送風部２の筐体８に取り付けられた係止具１０とを含んで構成され、着用者の首筋に配置される。フィルター５、フィルター側連結管４ａ、及びシール部材４０を含むフィルター部４（図２参照）は仮想線で示す防護服６の外側にあり、送風部２は防護服６の内側に位置する。係止具１０は防護服６内において送風装置１を着用者の首に係止するためのものであり、この係止具１０により、送風装置１が防護服６の着用者の首筋に配置される。係止具１０はさらに、軟質シート部材１４を備える。なお、図１には防護服６の全体像を示していないが、本発明の送風装置１は任意の防護服６に適用することができる。
【００１１】
この実施形態では、送風装置１は防護服６内を加圧状態に保つために用いられ、フィルター５を通して外部から吸引した空気を防護服６内に送気するものとして説明する。防護服６内に送気された空気は、加圧状態にされた防護服６の中から袖口や布地等を通して外部に放出される。これにより、汚染された外気が直接防護服６内に侵入することが防止される。なお、フィルター部４は使い捨てであってもよいし、フィルター５を交換することにより繰り返し使用可能なものであってもよい。フィルター５の種類は、作業目的に応じて適宜決めることができ、例えば有機ガス等を除去するための吸収缶であってもよいし、粉塵を除去するための濾過材でもよい。
【００１２】
図２、図３に示すように、送風部２とフィルター部４との連結は、フィルター側連結管４ａ、シール部材４０、送風側連結管２ａ、及びＯリング４１で構成される接続機構５０を介して行われる。より詳しくは、フィルター部４から延び出すフィルター側連結管４ａを防護服６の着用者の首筋に向き合う面に設けられた開口７に挿通し、送風部２に設けられて防護服６の外側に向いて延出する送風側連結管２ａに嵌合させることにより、送風部２とフィルター部４が連結される。フィルター側連結管４ａと送風側連結管２ａの嵌合は、カプラや螺着等、公知の手段を用いることができ、繰り返し着脱可能であることが好ましい。また、送風部２とフィルター部４を連結したとき、送風部２とフィルター部４との間に環状のシール部材４０が防護服６の布地と共に気密に挟持され、防護服６の開口７から汚染された外気が侵入することが防止される。または、磁力による吸着力により、フィルター側連結管４ａと送風側連結管２ａとの間に防護服を挟み込み、防護服６の開口７から汚染された外気が侵入することを防止する構造とすることもできる。
【００１３】
送風部２は、送風側連結管２ａ及びＯリング４１と、筐体８内に収容されるモータ３ａ及びファン３ｂから成る送風機３と、送風機３のスイッチ３２と、送風機３の電源３０とを含んで構成され、筐体８は、送風側連結管２ａが取り付けられる蓋部８ａと、本体部８ｂと、本体部８ｂ内に内蔵される仕切壁８ｃとを有する。蓋部８ａと送風側連結管２ａとの間にはＯリング４１が挿入され、送風部２とフィルター部４との間が気密状態に保たれる。送風側連結管２ａの蓋部８ａへの取り付けは、カプラや螺着等、公知の手段により行うことができ、繰り返し着脱可能であることが好ましい。このように、接続機構５０を介して送風部２とフィルター部４とを連結することにより、送風部２とフィルター部４との間、及び送風装置１と防護服６との間が気密に保たれ、また必要に応じてフィルター部４を交換することができる。
【００１４】
本体部８ｂは、仕切壁８ｃに取り付けられた送風機３とスイッチ３２とを収容する送風機収容室９と、電源３０を収容する電源収容室３１とを備え、送風機収容室９と電源収容室３１とは、隔壁８ｄにより隔てられている。電源収容室３１は、送風機３からの送風方向において送風機収容室９の風下側に位置し、送風機収容室９に対し凸となっており、送風機収容室９に直交して、送風方向と並行する方向に延び出す外壁面８ｅを有する。また、この外壁面８ｅに隣接かつ直交する送風機収容室９の壁面部８ｆには、送風口２０が設けられている。本実施形態では、壁面部８ｆは蓋部８ａに対向する。送風装置１を使用する際、電源収容室３１は、送風機収容室９と着用者の首筋との間に介在する。なお、本願で送風方向というときは、送風口２０から着用者の首筋に向かう空気流の流動方向Ｓ１を意味する。別言すれば、着用者の背後から首筋に向かい、着用者の首筋にほぼ直交する方向に並行する方向を意味する。
【００１５】
仕切壁８ｃは本体部８ｂ内に収容され、モータ３ａ及びファン３ｂから成る送風機３が取り付けられる。仕切壁８ｃにはさらに、送風機３からの空気流を筐体８の外部へ送り出すための送風筒２４が設けられている。送風筒２４は送風方向と並行する方向に延び出し、送風機収容室９の壁面部８ｆに設けられた送風口２０に嵌入される。また、送風機収容室９内において、仕切壁８ｃと隔壁８ｄとの間には、スイッチ３２が設けられている。なお、本願では電気配線の図示は省略している。
【００１６】
送風装置１を着用者の首に係止するための係止具１０は、筐体８において蓋部８ａに対向する電源収容室３１の末端面８ｇから送風方向の風下側に向けて、環状に湾曲しながら延出する。本実施形態に係る係止具１０は、環の一部が開放された開放部１８を有する環状の弾性部材からなる。係止具１０を構成する環状の弾性部材の素材には、金属、樹脂、ゴム、またはこれらの組み合わせを用いることができる。開放部１８は、送風部２から離間して送風部２に向き合う位置に形成され、送風装置１を着用者から引き離す方向に外力が加えられたとき、着用者の首に対する係止を解除する係止解除部として機能する。なお、係止解除部の具体的構成は開放部１８に限定されず、例えば強く引っ張られたとき破断する低破断強度の布やシート等をその一部に有するベルト部材や、ノッチ等の強度が局部的に低下する部位を有するベルト部材を用いることもできる。
【００１７】
また、係止具１０の着用者の首と向き合う面に、吸湿性の軟質シート部材１４が設けられている。吸湿性の軟質シート部材１４は、環状に延在する係止具１０の幅方向外側へ延び出して送風部２からの空気流内に位置する延長部１６を有する。延長部１６は、好ましくは送風口２０に対向し、送風口２０からの空気流が直接当たる位置に設けられる。吸湿性の軟質シート部材１４は、織布、不織布、発泡体などの公知の材料により形成することができ、熱伝導率が高く、水分を多く含むことが可能な、接触冷感素材を用いることが好ましい。接触冷感素材の例として、熱伝導性の高いフィラーを練り込んだ樹脂からなる繊維や、合成繊維の繊維構造を変えて吸湿性と放湿性をともに向上させた繊維を挙げることができるが、これらに限定されない。軟質シート部材１４は、係止具１０に固着することもできるし、軟質シート部材１４を袋状に形成して係止具１０に挿抜可能にすること、または繰り返し接着可能な両面テープを用いて係止具１０に一時的に接着すること等により、交換可能にすることもできる。本実施形態では、軟質シート部材１４に袋状部１４ａを設けている。
【００１８】
図３に、送風装置１の使用時の状態を模式的に表す。本実施形態では、送風装置１は防護服６内において、係止具１０により着用者の首に係止されており、着用者が直立したとき、送風装置１の送風口２０が筐体８の外壁面８ｅの上方に位置するようにして装着されている。送風装置１に内蔵された送風機３からの空気流は、送風口２０から着用者の首筋に向けて吹き出される。着用者の首筋に当たった空気流は一旦拡散し、下方に向かう気流は筐体８の外壁面８ｅに遮られて、流動方向が上方に向けられる。すなわちこの実施形態では、筐体８の外壁面８ｅが送風口２０からの空気流の少なくとも一部の流動方向を一方向に偏向させる偏流手段２１として機能する。
【００１９】
上記のように、一旦下方に向かった空気流でも、筐体８の外壁面８ｅによりその流動方向を上方に変えられるため、図３に矢印Ｓで示すように、送風口２０から吹き出された空気流の流動方向は主に上方、すなわち着用者の後頭部に向けられる。これにより着用者の後頭部が冷却され、着用者の作業の障害となるヒートストレスが緩和される。なお、送風装置１を、送風装置１の送風口２０が筐体８の外壁面８ｅの下方に位置するように装着し、送風機３からの空気流により着用者の背中を冷却するようにして使用することもできる。本実施形態では、送風部２は係止具１０に対し回転自在に取り付けられている。すなわち、図２、図３に示すように、電源収容室３１の末端面８ｇから送風方向に沿って延び出して頭部が拡径したピン４２に対し、係止具１０の末端面８ｇに対向する面に開けられて大径部と小径部が連接するピン孔４３を係合させる構成としている。これにより、必要に応じて係止具１０に対する送風口２０の位置を変えることができる。着用者のヒートストレスを緩和する上では、送風装置１の送風口２０が筐体８の外壁面８ｅの上方に位置するようにして送風装置１を使用することが好ましい。なお、送風口２０に嵌入される送風筒２４は、使用時に着用者が直立姿勢をとったとき、水平または斜め下方を向くように設けることが好ましい。これにより、汗が送風筒２４を通じて筐体８の中へ誤って流れ込むことを防止できる。
【００２０】
また、係止具１０の着用者の首と向き合う面に設けられた吸湿性の軟質シート部材１４は、送風装置１を使用する際に着用者の首に当接してクッションとして機能するだけでなく、汗を吸収することもできる。ここで、吸湿性の軟質シート部材１４の延長部１６は送風部２からの空気流内に位置しているので、軟質シート部材１４に吸収された汗の水分が空気流により蒸発する際の潜熱によって軟質シート部材１４の温度が下がり、着用者のヒートストレスを一層緩和することができる。前述のように、軟質シート部材１４には接触冷感素材を用いることが好ましい。
【００２１】
＜第２実施形態＞
図４に示すように、本実施形態では、送風口２０からの空気流の少なくとも一部の流動方向を一方向に偏向させる偏流手段２１として、筐体８の外壁面８ｅの代わりに係止具１０の延出部１３を用いる。なお、以下の説明では、送風装置１は電源収容室３１を備えておらず、電源３０とスイッチ３２は送風装置１とは別体の電源ボックスとして設けられ、防護服６内において着用者のポケットに入れて使用するものとして説明する。
【００２２】
本実施形態の送風装置１は、筐体８に内蔵された送風機３を含む送風部２と、フィルター５を内蔵するとともに送風部２に連結されるフィルター部４と、送風部２の筐体８に取り付けられた係止具１０とを含んで構成され、着用者の首筋に配置される。フィルター部４、モータ３ａ及びファン３ｂから成る送風機３、及び送風部２とフィルター部４の連結機構の構成は第１実施形態と同じなので、詳細な説明は省略する。
【００２３】
本実施形態の筐体８は、送風側連結管２ａが気密かつ着脱可能に取り付けられる蓋部８ａと、仕切壁８ｃと、本体部８ｂとを有する。蓋部８ａと対向する本体部８ｂの壁面部８ｆには、送風口２０が設けられている。仕切壁８ｃには送風機３が取り付けられ、本体部８ｂ内に収容される。仕切壁８ｃにはさらに、送風機３からの空気流を筐体８の外部へ送り出すための送風筒２４が設けられている。送風筒２４は送風方向と並行する方向に延び出し、本体部８ｂの壁面部８ｆに設けられた送風口２０に嵌入される。
【００２４】
送風装置１を着用者の首に係止するための係止具１０は、第１実施形態と同様に、環の一部が開放された開放部１８（係止解除部）を有する環状の弾性部材で構成され、さらに、送風部２に対向する対向領域１２を有するとともに、この対向領域１２から送風部２を構成する筐体８の壁面部８ｆに向けて延び出して送風口２０との間に介在する延出部１３を備える。延出部１３は平面形状であり、好ましくはその幅が筐体８とほぼ同じであり、係止具１０と一体または別体に形成することができる。本実施形態では、延出部１３の壁面部８ｆへの取り付け部位は、壁面部８ｆの送風口２０と干渉しない位置に設けられている。
【００２５】
第１実施形態と同様にして、本実施形態に係る送風装置１を係止具１０により着用者の首に係止し、着用者が直立したとき、送風装置１の送風口２０が係止具１０の延出部１３の上方に位置するようにして装着すると、送風機３からの空気流は、送風口２０から着用者の首筋に向けて吹き出される。着用者の首筋に当たった空気流は一旦拡散し、下方に向かう気流は係止具１０の延出部１３に遮られて、その流動方向が上方に向けられる。すなわち、この実施形態では係止具１０の延出部１３が送風口２０からの空気流の少なくとも一部の流動方向を一方向に偏向させる偏流手段２１として機能する。
【００２６】
上記のように、一旦下方に向かった空気流でも、係止具１０の延出部１３により流動方向を上方に変えられるため、第１実施形態と同様に、送風口２０から吹き出された空気流の流動方向は主に上方、すなわち着用者の後頭部に向けられる。これにより着用者の後頭部が冷却され、着用者の作業の障害となるヒートストレスが緩和される。なお、本実施形態に係る送風装置１の係止具１０も吸湿性の軟質シート部材１４を備えるが、その構成は第１実施形態と同一なので、詳細な説明は省略する。
【００２７】
以上、第２実施形態に係る送風装置１は電源収容室３１を備えていないものとして説明した。しかし、本発明はこれに限定されず、電源収容室３１を、例えば筐体８の両側、または底面に設けることもできる。また、仕切壁８ｃに送風機３が取り付けられるとともに、送風筒２４が設けられるものとして説明した。しかし、仕切壁８ｃ及び送風筒２４を用いずに、筐体８の本体部８ｂの内壁に送風機３を直接取り付け、蓋部８ａと対向する本体部８ｂの壁面部８ｆに開口部を設けて係止具１０の対向領域１２に向けて送風する構造にすることもできる。
【００２８】
本発明について第１及び第２実施形態に基づき説明したが、本発明はこれらの実施形態に限定されず、種々変更して実施することができる。例えば、送風装置１に環状の係止具１０を取り付ける位置は任意であり、例えば筐体８の本体部８ｂの側壁または底面に取り付けることもできるし、蓋部８ａの側部に取り付けることもできる。また、送風装置１を着用者の首に係止するための係止具１０を、防護服６の中で両肩に掛け回すベルトで構成することもできるし、着用者の頭部にかぶせる環状または帽子状の部材から送風装置１を吊り下げる構成にすることもできる。また、送風機３が防護服６の外で着用者の首筋に位置し、送風口２０が防護服６内に位置する構造とすることもできるし、送風装置１全体が防護服６内に位置して、フィルター部４の空気吸入面のみが防護服６の背面に露出する構造にすることもできる。また別の例として、防護服６の首筋に相当する部分にポケットを形成し、その中に送風装置１を配置することもできる。さらに、送風口２０から吹き出された空気流の流動方向を上方、すなわち着用者の後頭部に向ける例に基づき説明したが、空気流の流動方向を下方、すなわち着用者の背中に向けることもできる。また、送風部２とフィルター部４とを連結する接続機構５０にＯリング４１が含まれる場合を例に説明したが、防護服の内部が陽圧に保たれる場合は、Ｏリング４１を省略することもできる。
【００２９】
以上に記載した本発明の送風装置に関する開示は、少なくとも下記事項に要約することができる。
送風機を有する送風部と、フィルターを内蔵して前記送風部に連結されるフィルター部とを含む防護服用の送風装置であって、防護服の着用者の首筋に配置されることを特徴とする送風装置。
【００３０】
上記の発明は、少なくとも下記の実施の形態を含み、該実施の形態は、互いに分離しまたは組み合わせて採択される。
（１）さらに、前記防護服内において前記送風装置を着用者の首に係止するための係止具を備える。
（２）前記係止具が、着用者の首の周囲に延在して前記送風装置を着用者の首に係止可能に設けられる。
（３）前記送風機が、着用者の首筋から離間して配置される送風口から着用者の首筋に向けて送風し、前記送風口と着用者の首筋との間に介在して、前記送風口からの空気流の少なくとも一部の流動方向を一方向に偏向させる偏流手段を有する。
（４）前記送風装置がさらに前記送風機の電源を収容する電源収容室を有するとともに、前記係止具が前記送風部に対向する対向領域を有し、前記電源収容室が前記送風口と前記対向領域との間に介在して、前記送風口と前記対向領域との間に位置する前記電源収容室の外壁面が前記送風口からの空気流の少なくとも一部の流動方向を一方向に偏向させる。
（５）前記係止具が、前記送風部に対向する対向領域を有するとともに、前記対向領域から前記送風部に向けて延び出して前記送風口との間に介在する延出部を備え、前記延出部が前記送風口からの空気流の少なくとも一部の流動方向を一方向に偏向させる。
（６）前記係止具がさらに、着用者の首と向き合う面に吸湿性の軟質シート部材を有する。
（７）前記軟質シート部材が、前記係止具の外側へ延び出して前記送風部からの空気流内に位置する延長部を有する。
（８）前記係止具が、送風装置を着用者から引き離す方向に外力が加えられたとき係止を解除する係止解除部を有する。
【００３１】
以上に記載した本発明の防護服に関する開示は、少なくとも下記事項に要約することができる。
着用者の首筋に対応する位置に配置された送風装置を有する防護服であって、前記送風装置が送風機を有する送風部と、フィルターを内蔵して前記送風部に連結されるフィルター部とを含むことを特徴とする。
【００３２】
上記の発明は、少なくとも下記の実施の形態を含み、該実施の形態は、互いに分離しまたは組み合わせて採択される。
（１）前記送風装置がさらに、前記防護服内において前記送風装置を着用者の首に係止するための係止具を備える。
（２）前記係止具が、着用者の首の周囲に延在して前記送風装置を着用者の首に係止可能に設けられる。
（３）前記送風機が、着用者の首筋から離間して配置される送風口から着用者の首筋に向けて送風し、前記送風口と着用者の首筋との間に介在して、前記送風口からの空気流の少なくとも一部の流動方向を一方向に偏向させる偏流手段を有する。
（４）前記送風装置がさらに前記送風機の電源を収容する電源収容室を有するとともに、前記係止具が前記送風部に対向する対向領域を有し、前記電源収容室が前記送風口と前記対向領域との間に介在して、前記送風口と前記対向領域との間に位置する前記電源収容室の外壁面が前記送風口からの空気流の少なくとも一部の流動方向を一方向に偏向させる。
（５）前記係止具が、前記送風部に対向する対向領域を有するとともに、前記対向領域から前記送風部に向けて延び出して前記送風口との間に介在する延出部を備え、前記延出部が前記送風口からの空気流の少なくとも一部の流動方向を一方向に偏向させる。
（６）前記係止具がさらに、着用者の首と向き合う面に吸湿性の軟質シート部材を有する。
（７）前記軟質シート部材が、前記係止具の外側へ延び出して前記送風部からの空気流内に位置する延長部を有する。
（８）前記係止具が、送風装置を着用者から引き離す方向に外力が加えられたとき係止を解除する係止解除部を有する。
【符号の説明】
【００３３】
１  送風装置
２  送風部
３  送風機
４  フィルター部
５  フィルター
６  防護服
７  開口
８  筐体
８ｅ  外壁面
８ｆ  壁面部
９  送風機収容室
１０  係止具
１２  対向領域
１３  延出部
１４  軟質シート部材
１６  延長部
１８  開放部（係止解除部）
２０  送風口
２１  偏流手段
３０  電源
３１  電源収容室
Ｓ  空気流
【要約】
防護服に送風装置を接続するためのエアホースが不要で、作業場にある突起物にエアホースが引っかかることが無く、作業性の良い送風装置と、この送風装置を備える防護服の提供。
送風機（３）を有する送風部（２）と、フィルター（５）を内蔵して前記送風部（２）に連結されるフィルター部（４）とを含む防護服（６）用の送風装置（１）であって、防護服（６）の着用者の首筋に配置されることを特徴とする送風装置。【図１】
0005619325.tif 000002
【図２】
0005619325.tif 000003
【図３】
0005619325.tif 000004
【図４】
0005619325.tif 000005